(57)【要約】【課題】大型化を抑制しつつアクセサリを装着した状態でのがたつきの発生を抑制する。【解決手段】交換レンズ２００が着脱されるマウント装置３００は、締結穴を有する固定部材１２０に締結される固定マウント部材３１０と、固定マウント部材３１０と螺合する可動マウント部材３２０とを備える。固定マウント部材３１０は、交換レンズと当接するマウント面３１１と、雄ねじ部３１３を有し、可動マウント部材３２０は、交換レンズ２００のマウント爪部２４０ａ〜２４０ｃと係合するマウント爪部３２１ａ〜３２１ｃと、雄ねじ部３１３と螺合する雌ねじ部３２３を有する。固定マウント部材３１０において、マウント面３１１には固定部材１２０の締結穴に対応する位置に貫通穴３１７ａ〜３１７ｄが形成され、且つ、雄ねじ部３１３が貫通穴３１７ａ〜３１７ｄよりも外周側に設けられる。【選択図】図３
2019203988.tif 000002
【特許請求の範囲】
【請求項１】
アクセサリが着脱されるマウント装置であって、
固定部に締結される略環状の固定マウント部と、
前記固定マウント部と螺合する略環状の可動マウント部と、を備え、
前記固定マウント部は、
前記アクセサリと当接するマウント面と、
第１の螺合部と、を有し、
前記可動マウント部は、
前記アクセサリの係合部と係合する被係合部と、
前記第１の螺合部と螺合する第２の螺合部と、を有し、
前記固定マウント部において、前記マウント面に前記固定部に対する締結部が形成され、且つ、前記第１の螺合部は前記締結部よりも外周側に設けられていることを特徴とするマウント装置。
【請求項２】
前記締結部は、前記固定部に設けられた締結穴に対応する位置に形成された貫通穴であり、締結部材を前記貫通穴に通して前記締結穴に固定することにより前記固定マウント部が前記固定部に固定されることを特徴とする請求項１に記載のマウント装置。
【請求項３】
凸部を有する凸部材と、
前記凸部を前記固定マウント部の前記マウント面から突出させるように前記凸部材を付勢する付勢手段と、を備えることを特徴とする請求項１又は２に記載のマウント装置。
【請求項４】
前記凸部は、前記アクセサリに設けられた凹部と嵌合して、前記アクセサリの前記固定マウント部に対する回転を規制することを特徴とする請求項３に記載のマウント装置。
【請求項５】
前記可動マウント部と結合される操作部と、
前記操作部を操作することによる前記固定マウント部に対する前記可動マウント部の回転を検知する検知手段と、を備えることを特徴とする請求項１乃至４のいずれか１項に記載のマウント装置。
【請求項６】
前記固定マウント部における前記マウント面の反対側の面に固定された弧形状の薄板材を備え、
前記薄板材が前記固定部と当接すること特徴とする請求項１乃至５のいずれか１項に記載のマウント装置。
【請求項７】
前記可動マウント部は、
外環部と、
前記外環部の内側に配置される内環部と、
前記外環部と前記内環部を結合する結合部を有し、
前記被係合部は前記内環部の内周側に設けられ、且つ、前記第２の螺合部は前記外環部の内周側に設けられていることを特徴とする請求項１乃至６のいずれか１項に記載のマウント装置。
【請求項８】
前記固定部に設けられた突起部に前記締結部が形成され、
前記固定マウント部が前記固定部に締結された状態では、前記突起部が前記外環部の内周と前記内環部の外周との間に入り込み、
前記突起部が前記可動マウント部の前記結合部に設けられた平面部と当接することで前記固定マウント部に対する前記可動マウント部の回転量が規定されることを特徴とする請求項７に記載のマウント装置。
【請求項９】
前記可動マウント部をその中心軸まわりに回転させると、回転方向に応じて前記第１の螺合部と前記第２の螺合部が螺合する深さが変化することで、前記可動マウント部は前記固定マウント部に対して前記中心軸の軸方向に移動することを特徴とする請求項１乃至８のいずれか１項に記載のマウント装置。
【請求項１０】
前記可動マウント部はマウント爪部を有し、
前記アクセサリのマウント爪部が前記可動マウント部のマウント爪部と当接せず、且つ、前記固定マウント部の前記マウント面と前記アクセサリのマウント面とが当接した状態で前記可動マウント部が前記軸方向を前記固定部へ向けて移動するように前記可動マウント部を回転させることにより、前記可動マウント部のマウント爪部が前記アクセサリのマウント爪部と係合して前記アクセサリのマウント爪部を前記固定部へ向けて引き込むことを特徴とする請求項９に記載のマウント装置。
【請求項１１】
撮像装置本体と、
請求項１乃至１０のいずれか１項に記載のマウント装置と、
前記マウント装置を前記撮像装置本体に取り付けるための固定部材と、を備えることを特徴とする撮像装置。
【発明の詳細な説明】
【技術分野】
【０００１】
本発明は、交換レンズやレンズアダプタ等のアクセサリの着脱を行うためのマウント装置及び撮像装置に関する。
【背景技術】
【０００２】
単焦点レンズやズームレンズ、広角レンズ、望遠レンズ、マクロレンズ等の各種レンズ（以下「交換レンズ」という）の着脱が可能な撮像装置が知られている。交換レンズやレンズアダプタ等の撮像装置用のアクセサリを撮像装置本体に対して着脱可能とするためのマウント装置の方式としては、所謂、バヨネット結合方式が広く用いられている。
【０００３】
しかし、バヨネット結合方式では、板バネ等の付勢部材の付勢力により交換レンズを係止して保持するため、バネ部材の撓み量に応じて撮像装置本体に対してアクセサリががたつくという問題がある。特に、大型の交換レンズ等を撮像装置本体に取り付けた場合には、交換レンズの自重に起因してがたつきが発生しやすい。このようなアクセサリと撮像装置本体との間のがたつきが生じることによってアクセサリの光軸がマウント装置の中心軸からずれると、撮影画像の画質が低下してしまう。そこで、特許文献１は、撮像装置に備えられたバヨネット式マウント装置を、固定マウント部と可動マウント部に分離した構成として、交換レンズを撮像装置側に移動させる可動機構を提案している。
【先行技術文献】
【特許文献】
【０００４】
【特許文献１】特開２０１３-２１８１４９号公報
【発明の概要】
【発明が解決しようとする課題】
【０００５】
しかしながら、上記特許文献１に記載されたマウント装置では、アクセサリ側の当接面（マウント面）の径方向外側に可動機構と撮像装置本体に対する締結部が設けられるため、マウント装置全体が大型化してしまう。
【０００６】
本発明は、大型化を抑制しつつ、アクセサリを装着した状態でのがたつきの発生を抑制することができるマウント装置を提供することを目的とする。
【課題を解決するための手段】
【０００７】
本発明に係るマウント装置は、アクセサリが着脱されるマウント装置であって、固定部に締結される略環状の固定マウント部と、前記固定マウント部と螺合する略環状の可動マウント部と、を備え、前記固定マウント部は、前記アクセサリと当接するマウント面と、第１の螺合部と、を有し、前記可動マウント部は、前記アクセサリの係合部と係合する被係合部と、前記第１の螺合部と螺合する第２の螺合部と、を有し、前記固定マウント部において、前記マウント面に前記固定部に対する締結部が形成され、且つ、前記第１の螺合部は前記締結部よりも外周側に設けられていることを特徴とする。
【発明の効果】
【０００８】
本発明によれば、マウント装置の大型化を抑制すると共に、アクセサリが装着された状態でのがたつきの発生を抑制することができる。
【図面の簡単な説明】
【０００９】
【図１】本発明の実施形態に係るマウント装置とその周辺部品の構造を示す分解斜視図である。
【図２】マウント装置に着脱可能な交換レンズを背面側から見た斜視図である。
【図３】マウント装置の分解斜視図である。
【図４】マウント装置を構成する可動マウント部材の背面図である。
【図５】マウント装置を構成する回転止め凸部材及びその周辺を拡大して示す斜視図である。
【図６】マウント装置を固定部材に固定した状態を示す正面図である。
【図７】図７に示す矢視Ａ−Ａ、矢視Ｂ−Ｂの断面図である。
【図８】マウント装置に対する交換レンズの当接操作を説明する模式図である。
【図９】マウント装置に対する交換レンズの固定操作を説明する斜視図である。
【図１０】マウント装置に対する交換レンズの固定操作を説明する断面図である。
【図１１】固定操作での検出スイッチの動きを説明する斜視図である。
【図１２】固定部材の構造を示す斜視図である。
【図１３】可動マウント部材、操作部材及び固定部材の状態を示す斜視図である。
【図１４】可動マウント部材の回転限界位置における可動マウント部材、操作部材及び固定部材の状態を示す断面図である。
【図１５】固定マウント部材に対する薄板材の配置を説明する分解斜視図である。
【図１６】別の実施形態に係るマウント装置とその周辺部品の構造を示す分解斜視図である。
【図１７】別の実施形態に係るマウント装置の分解斜視図である。
【発明を実施するための形態】
【００１０】
以下、本発明の実施形態について、添付図面を参照して詳細に説明する。ここでは、交換レンズを撮像装置本体に対して着脱するために撮像装置本体に装備されたマウント装置（所謂、レンズマウント）について説明する。
【００１１】
図１は、本発明の実施形態に係るマウント装置とその周辺部品の構造を示す分解斜視図である。図１には、交換レンズ２００、マウント装置３００、電気接点部材１３０、回転検出基板３７０及び固定部材１２０が示されている。交換レンズ２００は、マウント装置３００に対して着脱可能なアクセサリの一例であり、その着脱方法については後述する。
【００１２】
マウント装置３００は、固定部材１２０に固定される。電気接点部材１３０は、端子部１３１を備えており、固定部材１２０に固定される。回転検出基板３７０は、検出スイッチ３７１を備えており、固定部材１２０に固定される。固定部材１２０は、撮像装置本体（不図示）に固定され、撮像素子（不図示）を保持する。以下の説明では、交換レンズ２００側を前方又は正面と称呼し、固定部材１２０側を後方又は背面と称呼する。
【００１３】
図２は、交換レンズ２００を背面側から見た斜視図である。交換レンズ２００は、電気接点部２２０、マウント面２３０、マウント爪部２４０ａ〜２４０ｃ（係合部）、円筒軸部２５０、回転止め凹部２６０及び弾性部材２７０を有する。弾性部材２７０は、マウント面２３０の外周に配置されるゴム製のＯリングである。他の部位の機能等については、マウント装置３００に対して交換レンズ２００を装着する際の動作を説明する際に説明する。
【００１４】
図３は、マウント装置３００の分解斜視図である。図３（ａ），（ｂ）に示す一点鎖線はマウント装置３００の光軸であり、マウント装置３００の光路の中心を通っている。マウント装置３００は、固定マウント部材３１０、可動マウント部材３２０、回転止め凸部材３３０、付勢部材３３５、押さえ部材３４０、操作部材３５０及び薄板材３６０ａ，３６０ｃを備える。
【００１５】
固定マウント部材３１０は、略環状の形状を有し、マウント面３１１、弾性部材接触面３１２、雄ねじ部３１３（第１の螺合部）、円筒穴部３１４、回転止め穴部３１６、貫通穴３１７ａ〜３１７ｄ及び係合穴部３１８を有する。貫通穴３１７ａ〜３１７ｄは、マウント面３１１に設けられている。雄ねじ部３１３は、光軸投影上（光軸方向から見たときに）、貫通穴３１７ａ〜３１７ｄの外周側に設けられている。貫通穴３１７ａ〜３１７ｄにネジ（不図示）を通し、そのネジを固定部材１２０に締結することによって、マウント装置３００は固定部材１２０に固定される。
【００１６】
弾性部材接触面３１２は、光軸投影上、マウント面３１１の外周に設けられている。操作部材３５０は、つまみ部３５１、回転被検出部３５２及び貫通穴３５３ａ〜３５３ｃを有する。貫通穴３５３ａ〜３５３ｃにネジを通し、そのネジを可動マウント部材３２０に締結することにより、操作部材３５０は可動マウント部材３２０に固定される。薄板材３６０ａ，３６０ｃは、詳細は後述するが、ネジ（不図示）により、固定マウント部材３１０のマウント面３１１の反対側の面に固定される。
【００１７】
図４は、可動マウント部材３２０の背面図である。可動マウント部材３２０は、略環状の形状を有し、内環部３２０ａ、外環部３２０ｂ、第１の結合部３２６ａ、第２の結合部３２６ｂ、突出部３２９ｂ，３２９ｃ及び操作部材締結穴３２８ａ〜３２８ｃを有する。内環部３２０ａは外環部３２０ｂの内側に配置され、第１の結合部３２６ａと第２の結合部３２６ｂによって径方向において結合されている。第２の結合部３２６ｂは、両端が平面となっている第１の平面部３２７ａと第２の平面部３２７ｂを有する。第１の平面部３２７ａと第２の平面部３２７ｂは、詳細は後述するが、固定部材１２０の第１の回転止め部１２２ａ及び第２の回転止め部１２２ｂとの位置関係にしたがって可動マウント部材３２０の回転量を規定する役割を担う当接部である。
【００１８】
内環部３２０ａの内周側には、マウント爪部２４０ａ〜２４０ｃと係合するマウント爪部３２１ａ〜３２１ｃ（被係合部）が設けられている。内環部３２０ａの外周部には、係合軸部３２５が設けられている。外環部３２０ｂの内周部には、雌ねじ部３２３（第２の螺合部）が設けられている。突出部３２９ｂ，３２９ｃは、外環部３２０ｂにおいて第１の結合部３２６ａと第２の結合部３２６ｂの間に設けられており、内環部３２０ａ側に突出する形状を有する。操作部材締結穴３２８ａは第１の結合部３２６ａに設けられ、操作部材締結穴３２８ｂは突出部３２９ｂに設けられ、操作部材締結穴３２８ｃは突出部３２９ｃに設けられている。貫通穴３５３ａ〜３５３ｃを挿通したネジが操作部材締結穴３２８ａ〜３２８ｃに締結されることにより、操作部材３５０は可動マウント部材３２０に固定される。
【００１９】
図５は、回転止め凸部材３３０及びその周辺を拡大して示す斜視図である。図６は、マウント装置３００を固定部材１２０に固定した状態を示す正面図である。図７（ａ）は、図７に示す矢視Ａ−Ａでの断面図であり、回転止め凸部材３３０の位置における断面を表している。図７（ｂ）は、図７に示す矢視Ｂ−Ｂでの断面図であり、貫通穴３１７ａの位置における断面を表している。
【００２０】
図７（ｂ）に示すように、可動マウント部材３２０の雌ねじ部３２３は、固定マウント部材３１０の雄ねじ部３１３と螺合する。これにより、可動マウント部材３２０を光軸まわりに回転させると、回転方向に応じて雌ねじ部３２３と雄ねじ部３１３とが螺合する深さが変化して、可動マウント部材３２０が固定マウント部材３１０に対して光軸方向に移動する構造となっている。可動マウント部材３２０の係合軸部３２５は、固定マウント部材３１０の係合穴部３１８と係合する。これにより、可動マウント部材３２０の固定マウント部材３１０に対する位置が安定する。貫通穴３１７ａにはネジ３０１ａが挿入されており、ネジ３０１ａが固定部材１２０に締結されることにより、固定マウント部材３１０は薄板材３６０ａを挟んで固定部材１２０に固定される。
【００２１】
図５及び図７（ａ）に示すように、回転止め凸部材３３０は、第１の凸部３３１と第２の凸部３３２を有する。第１の凸部３３１は、回転止め穴部３１６と係合して、マウント面３１１から突出する。第２の凸部３３２は、付勢部材３３５と係合する。付勢部材３３５は、回転止め凸部材３３０をマウント面３１１から突出する方向に付勢する。また、押さえ部材３４０は、回転止め穴部３４１と貫通穴３４２を有する。回転止め穴部３４１は、第２の凸部３３２と係合する。貫通穴３４２にはネジ（不図示）が挿入され、このネジが固定マウント部材３１０に締結されることで、押さえ部材３４０は固定マウント部材３１０に固定される。このような構成により、回転止め凸部材３３０は、固定マウント部材３１０に対して光軸方向に押下自在に保持される。
【００２２】
次に、マウント装置３００に対して交換レンズ２００を装着する方法について説明する。交換レンズ２００の装着は、マウント装置３００に対する当接操作と、当接させた状態からの固定操作の２段階で行うことができる。図８は、マウント装置３００に対する交換レンズ２００の当接操作を説明する模式図であり、当接操作を行う前の状態を交換レンズ２００とマウント装置３００を背面側から見た部分的な斜視図で示している。
【００２３】
当接操作では、交換レンズ２００の回転止め凹部２６０と回転止め凸部材３３０の第１の凸部３３１を嵌合させる。続いて、交換レンズ２００の円筒軸部２５０とマウント装置３００の円筒穴部３１４を嵌合させる。マウント装置３００に対して、図８の姿勢状態で交換レンズ２００を挿入することで、これら２箇所の嵌合部を嵌合させることができる。
【００２４】
そして、交換レンズ２００のマウント面２３０とマウント装置３００のマウント面３１１を当接させる。ここで、交換レンズ２００が図８の姿勢から光軸中心に回転してずれた姿勢になっていると、第１の凸部３３１と回転止め凹部２６０が嵌合しない。しかし、回転止め凸部材３３０は押下自在であるため、交換レンズ２００のマウント面２３０によって押下される。よって、第１の凸部３３１と回転止め凹部２６０が嵌合していない状態でも、円筒軸部２５０と円筒穴部３１４を嵌合させることができる。
【００２５】
円筒軸部２５０と円筒穴部３１４が嵌合すると、交換レンズ２００のマウント面２３０とマウント装置３００（固定マウント部材３１０）のマウント面３１１が当接した状態となる。その状態でマウント装置３００に対して交換レンズ２００を回転させることにより、回転止め凹部２６０を回転止め凸部材３３０に嵌合する位置へ移動させることができる。こうして回転止め凹部２６０が回転止め凸部材３３０の位置まで移動すると、交換レンズ２００のマウント面２３０に押下されてマウント装置３００のマウント面３１１まで後退していた回転止め凸部材３３０がマウント面３１１から突出する。これにより、回転止め凸部材３３０が回転止め凹部２６０に対して嵌合する。
【００２６】
なお、マウント装置３００に対して交換レンズ２００を回転させる動作によって、交換レンズ２００の電気接点部２２０と電気接点部材１３０との接点端子部とが相互に擦れ合う。これにより、接点端子部に付着した不純物等を除去するセルフクリーニング効果が得られ、接点端子部の接触信頼性を確保することができる。
【００２７】
回転止め凸部材３３０と回転止め凹部２６０が嵌合すると、交換レンズ２００はマウント装置３００に対して回転することができなくなる。しかし、交換レンズ２００はマウント装置３００に対して光軸方向において固定されていないため、交換レンズ２００をマウント装置３００に対して光軸方向に遠ざけるように移動させると、容易に当接状態を解除することができる。
【００２８】
図９（ａ）〜（ｃ）は、マウント装置３００への交換レンズ２００の固定操作を説明する斜視図である。図１０（ａ）〜（ｃ）は、図９（ａ）〜（ｃ）に対応する断面図である。図１１（ａ）〜（ｃ）は、検出スイッチ３７１の動きを図９（ａ）〜（ｃ）に対応させて説明する斜視図である。
【００２９】
図９（ａ），図１０（ａ）及び図１１（ａ）は、固定操作前の交換レンズ２００のマウント面２３０がマウント装置３００のマウント面３１１に当接した状態を示している。この状態では、光軸投影上、交換レンズ２００のマウント爪部２４０ａ〜２４０ｃとマウント装置３００の可動マウント部材３２０のマウント爪部３２１ａ〜３２１ｃは重なり合っていない。
【００３０】
ここで、回転検出基板３７０の検出スイッチ３７１は、検出可動部３７１ａを有しており、検出可動部３７１ａが押下されると検出スイッチ３７１は検知状態となる。本実施形態では、検出スイッチ３７１が検知状態となっているときに、電気接点部２２０と電気接点部材１３０を通じて交換レンズ２００と撮像装置本体との間で電気通信が行われるものとする。図１１（ａ）の状態では、検出可動部３７１ａは回転被検出部３５２に押下されておらず、よって、非検知状態となっている。そのため、図１０（ａ）に示すように電気接点部材１３０の端子部１３１は交換レンズの電気接点部２２０と接触しているが、この状態では電気接点部２２０と電気接点部材１３０を通じての電気通信は行われない。
【００３１】
交換レンズ２００の弾性部材２７０は、マウント装置３００の弾性部材接触面３１２と圧接する。図３（ａ）及び図７（ｂ）に示したように、貫通穴３１７ａ〜３１７ｄは雄ねじ部３１３の内周側に配設されている。仮に貫通穴３１７ａ〜３１７ｄを雄ねじ部３１３の外周側に設けた場合には、弾性部材接触面３１２に貫通穴３１７ａ〜３１７ｄが位置することとなり、弾性部材接触面３１２に凹凸が生じる。本実施例の構成では、弾性部材接触面３１２に貫通穴３１７ａ〜３１７ｄを設けないことにより、弾性部材接触面３１２は凹凸のない平滑面となっている。弾性部材接触面３１２に凹凸がある場合には、弾性部材２７０による交換レンズ２００とマウント装置３００との密閉性を確保することが困難となる。これに対して、弾性部材接触面３１２が凹凸のない平滑面で形成されていることにより、弾性部材２７０の圧接によって交換レンズ２００とマウント装置３００との密閉性を確保することが可能となる。
【００３２】
図９（ｂ），図１０（ｂ）及び図１１（ｂ）は、マウント装置３００に対する交換レンズ２００の固定操作途中の状態を示している。図９（ａ）の状態からマウント装置３００のつまみ部３５１をマウント装置３００の正面側から見て光軸を中心に反時計まわり方向に回転させる。つまみ部３５１が配設されている操作部材３５０は、可動マウント部材３２０に締結されているため、つまみ部３５１の回転に伴って可動マウント部材３２０が光軸を中心に回転する。これにより、交換レンズ２００のマウント爪部２４０ａ〜２４０ｃとマウント装置３００のマウント爪部３２１ａ〜３２１ｃとが光軸投影上で重なり始める。
【００３３】
ここで、可動マウント部材３２０の雌ねじ部３２３は、固定マウント部材３１０の雄ねじ部３１３と螺合している。この螺合部は逆ねじ形状となっており、正面側から見て反時計まわり方向の回転によって可動マウント部材３２０は固定マウント部材３１０に対して背面側へ向かって移動する。このとき、マウント装置３００のマウント爪部３２１ｂと交換レンズ２００のマウント爪部２４０ｂとの間には隙間Ｇが存在する。不図示であるが、同様に、マウント爪部３２１ａとマウント爪部２４０ａの間、及び、マウント爪部３２１ｃとマウント爪部２４０ｃの間にも、同様の隙間が存在する。つまり、交換レンズ２００とマウント装置３００との間には、隙間Ｇの大きさだけがたつきが生じている。
【００３４】
この状態で検出スイッチ３７１は、図１１（ｂ）に示すように、検出可動部３７１ａが操作部材３５０の回転被検出部３５２の段差形状によって押下されるため、検知状態となっている。したがって、電気接点部２２０と電気接点部材１３０を通じて、交換レンズ２００と撮像装置本体との間で電気通信が行われる。
【００３５】
図９（ｃ），図１０（ｃ）及び図１１（ｃ）は、交換レンズ２００のマウント装置３００に対する固定が完了した状態を示している。マウント装置３００の正面から見て光軸を中心に反時計まわり方向に、図９（ｂ）の状態よりも更にマウント装置３００のつまみ部３５１を回転させる。すると、雌ねじ部３２３と雄ねじ部３１３の螺合によって、可動マウント部材３２０は固定マウント部材３１０に対して図９（ｂ）の状態よりも更に背面側へ移動する。これにより、マウント装置３００のマウント爪部３２１ｂと交換レンズ２００のマウント爪部２４０ｂが当接する。同様に、マウント爪部３２１ａとマウント爪部２４０ａが当接し、マウント爪部３２１ｃとマウント爪部２４０ｃも当接する。したがって、マウント爪部３２１ａ〜３２１ｃとマウント爪部２４０ａ〜２４０ｃとの間には隙間が存在しない状態となる。
【００３６】
このように、可動マウント部材３２０を固定マウント部材３１０に対して回転させることによって発生するネジの締め付け力を用いて、交換レンズ２００をマウント装置３００に向かってに引き込む。これにより、交換レンズ２００をマウント装置３００に対してがたつきなく固定（装着）することができる。
【００３７】
図１１（ｃ）の状態では、図１１（ｂ）の状態と同様に、検出スイッチ３７１は、操作部材３５０の回転被検出部３５２によって検出可動部３７１ａが押下されているため、検知状態となっている。したがって、電気接点部２２０と電気接点部材１３０を通じて、交換レンズ２００と撮像装置本体との間で電気通信が行われる。
【００３８】
次に、マウント装置３００に対する交換レンズ２００の装着操作時のマウント装置３００、操作部材３５０及び固定部材１２０の動作の関係について説明する。図１２（ａ）は、固定部材１２０の全体構造を示す斜視図である。図１２（ｂ）は、固定部材１２０を部分的に拡大して示す斜視図である。図１３（ａ）〜（ｃ）はそれぞれ、可動マウント部材３２０、操作部材３５０及び固定部材１２０の状態を、図９（ａ）〜（ｃ）に対応させて示す斜視図である。
【００３９】
図１２（ａ）に示すように、固定部材１２０はビスボス部１２１ａ〜１２１ｄ（突起部）を有する。マウント装置３００の固定マウント部材３１０に形成された貫通穴３１７ａ〜３１７ｄに挿通されたネジがビスボス部１２１ａ〜１２１ｄのそれぞれに締結され、これにより、マウント装置３００は固定部材１２０に固定される。図１２（ｂ）に示すように、固定部材１２０は、可動マウント部材３２０の回転量を規制する係合部としての第１の回転止め部１２２ａと第２の回転止め部１２２ｂを有する。図１３（ａ）〜（ｃ）の各状態において、ビスボス部１２１ａ〜１２１ｄは、可動マウント部材３２０の内環部３２０ａ及び外環部３２０ｂの間にあるが、可動マウント部材３２０に接触しないように配設されている。
【００４０】
可動マウント部材３２０と操作部材３５０の回転範囲は、第１の回転止め部１２２ａ、第２の回転止め部１２２ｂ、第１の平面部３２７ａ及び第２の平面部３２７ｂによって規定される。図１４は、可動マウント部材３２０の回転限界位置における、可動マウント部材３２０、操作部材３５０及び固定部材１２０の状態を示す断面図である。図１４（ａ）は、正面側から見て可動マウント部材３２０を時計まわり方向に最大限回転させた位置を示しており、この状態では、可動マウント部材３２０の第１の平面部３２７ａと固定部材１２０の第１の回転止め部１２２ａが当接する。図１４（ｂ）は、正面側から見て可動マウント部材３２０が反時計まわりに最大限回転された位置を示しており、この状態では、可動マウント部材３２０の第２の平面部３２７ｂと固定部材１２０の第２の回転止め部１２２ｂが当接する。図９（ａ）〜（ｃ）の状態は、図１４（ａ）と図１４（ｂ）の間の回転位置での状態である。
【００４１】
ビスボス部１２１ａ〜１２１ｄは、図１３（ａ）〜（ｃ）に示したように、可動マウント部材３２０の内環部３２０ａの外周と外環部３２０ｂの外周の間に入り込む（凸となる）が、前述の当接部以外で可動マウント部材３２０に接触することはない。可動マウント部材３２０の第１の結合部３２６ａと突出部３２９ｂ，３２９ｃは、図１４（ａ），（ｂ）に示す回転限界位置とその間の回転途中のどの位置であっても、固定部材１２０と接触しない。
【００４２】
前述の通り、固定マウント部材３１０と固定部材１２０は、貫通穴３１７ａ〜３１７ｄとビスボス部１２１ａ〜１２１ｄを締結部として、ネジ（締結部材）により締結される。マウント装置３００では、これらの締結部を固定マウント部材３１０の雄ねじ部３１３と可動マウント部材３２０の雌ねじ部３２３との螺合部よりも内周側に配置した上で、可動マウント部材３２０の必要な回転量を確保することが可能となっている。
【００４３】
続いて、薄板材３６０ａ，３６０ｃの機能について説明する。図１５は、固定マウント部材３１０に対する薄板材３６０ａ，３６０ｃの配置を説明する分解斜視図である。薄板材３６０ａは、弧形状（弓形状）を有し、第１の貫通穴３６１ａと第２の貫通穴３６２ａ，３６２ｂを有する。薄板材３６０ｃは、弧形状（弓形状）を有し、第１の貫通穴３６１ｃと第２の貫通穴３６２ｃ，３６２ｄを有する。第１の貫通穴３６１ａ，３６１ｃにはネジ（不図示）が挿入され、このネジは固定マウント部材３１０の薄板材締結部３１９ａ，３１９ｃに締結される。固定マウント部材３１０の貫通穴３１７ａ〜３１７ｄに挿入されたネジ（不図示）は、第２の貫通穴３６２ａ〜３６２ｄをも挿通して、固定部材１２０のビスボス部１２１ａ〜１２１ｄに締結される。
【００４４】
したがって、薄板材３６０ａ，３６０ｃの厚みを変えることにより、マウント装置３００のマウント面３１１と固定部材１２０のビスボス部１２１ａ〜１２１ｄまでの距離を調節することができる。つまり、固定部材１２０に保持される撮像素子（不図示）とマウント面３１１との距離を調節することができる。その際、薄板材３６０ａと薄板材３６０ｃとで厚みの異なるものを用いることにより、撮像素子に対するマウント面３１１の角度を調節することもできる。なお、薄板材３６０ａ，３６０ｃは、固定マウント部材３１０と固定部材１２０の間に必ず配置しなくてはならないものではなく、薄板材３６０ａ，３６０ｃを配置しない構成としてもよい。
【００４５】
なお、図１５に示すように、薄板材３６０ａ，３６０ｃは、可動マウント部材３２０を避けて、固定マウント部材３１０に組み付けることができる。また、マウント装置３００が固定部材１２０に締結されていない状態において、薄板材３６０ａ，３６０ｃは、固定マウント部材３１０に組み付け、また、固定マウント部材３１０から取り外することが可能である。
【００４６】
ところで、固定部材１２０に対しては、上述したマウント装置３００に代えて別のマウント装置（マウント装置）を取り付けることも可能である。そこで次に、固定部材１２０に取付可能な別のマウント装置について説明する。
【００４７】
図１６は、本発明の別の実施形態に係るマウント装置であるマウント装置１３００とその周辺部品の構造を示す分解斜視図である。なお、図１６に示す交換レンズ２００、電気接点部材１３０、回転検出基板３７０及び固定部材１２０は、図１に示したものと同じであるため、説明を省略する。図１７（ａ），（ｂ）は、マウント装置１３００の分解斜視図である。マウント装置１３００は、バヨネット式のマウント装置である。マウント装置１３００は、マウント部材１５０、付勢部材１６０、回転止め凸部材１７０、付勢部材１７５、操作部材１８０、付勢部材１８８及び環状部材１９０を備える。
【００４８】
マウント部材１５０は、マウント面１５１、マウント爪部１５２ａ〜１５２ｃ、貫通穴１５３ａ〜１５３ｄ、穴部１５４及び円筒穴部１５５を有する。付勢部材１６０は、付勢部１６１ａ〜１６１ｃを有する。付勢部１６１ａ〜１６１ｃには、板ばねが用いられている。回転止め凸部材１７０は、第１の凸部１７１、第２の凸部１７２及び腕部１７３を有する。第１の凸部１７１は、マウント部材１５０の穴部１５４と係合して、マウント面１５１から突出する。
【００４９】
付勢部材１７５には、圧縮ばねが用いられている。付勢部材１７５は、第２の凸部１７２と係合し、回転止め凸部材１７０をマウント面１５１から突出させる方向に付勢する。操作部材１８０は、操作部１８１、腕部１８２及び軸部１８３を有する。腕部１８２は、操作部材１８０が押下される動作に連動して腕部１７３を押下する。付勢部材１８８には圧縮ばねが用いられている。付勢部材１８８は、軸部１８３と係合し、操作部材１８０を撮像装置１１００から突出させる方向に付勢する。
【００５０】
環状部材１９０は、第１の穴部１９１、第２の穴部１９２、貫通穴１９３ａ〜１９３ｄ及び回転検出部１９４を有する。第１の穴部１９１は、第２の凸部１７２と係合する。第２の穴部１９２は、軸部１８３と係合する。マウント装置３００の貫通穴３１７ａ〜３１７ｄ（図３参照）とマウント装置１３００の貫通穴１５３ａ〜１５３ｄとを、光軸投影上で同じ位置に配設することにより、固定部材１２０の締結部を共通で使うことが可能となる。つまり、ユーザの要望に合わせて、マウント装置３００とマウント装置１３００を交換して用いることができる。
【００５１】
以上、本発明をその好適な実施形態に基づいて詳述してきたが、本発明はこれら特定の実施形態に限られるものではなく、この発明の要旨を逸脱しない範囲の様々な形態も本発明に含まれる。更に、上述した各実施形態は本発明の一実施形態を示すものにすぎず、各実施形態を適宜組み合わせることも可能である。例えば、上記実施形態では、撮像装置本体に設けたマウント装置について説明したが、本発明に係るマウント装置は、マウントアダプタに備わっていてもよい。また、上記実施形態では、可動マウント部材３２０に雌ねじ部３２３を設け、固定マウント部材３１０に雄ねじ部３１３を設けたが、逆に、可動マウント部材３２０に雄ねじ部を設け、固定マウント部材３１０に雌ねじ部を設けた構成としてもよい。この場合、交換レンズ２００を装着する際の可動マウント部材３２０の回転方向は、正面側から見て時計まわり方向となる。
【符号の説明】
【００５２】
１２０    固定部材
１２１ａ〜１２１ｄ    ビスボス部
２００    交換レンズ
３００    マウント装置
３１０    固定マウント部材
３１１    マウント面
３１３    雄ねじ部
３１７ａ〜３１７ｄ    貫通穴
３２０    可動マウント部材
３２１ａ〜３２１ｃ    マウント爪部
３２３    雌ねじ部
３３０    回転止め凸部材
【図１】
2019203988.tif 000003
【図２】
2019203988.tif 000004
【図３】
2019203988.tif 000005
【図４】
2019203988.tif 000006
【図５】
2019203988.tif 000007
【図６】
2019203988.tif 000008
【図７】
2019203988.tif 000009
【図８】
2019203988.tif 000010
【図９】
2019203988.tif 000011
【図１０】
2019203988.tif 000012
【図１１】
2019203988.tif 000013
【図１２】
2019203988.tif 000014
【図１３】
2019203988.tif 000015
【図１４】
2019203988.tif 000016
【図１５】
2019203988.tif 000017
【図１６】
2019203988.tif 000018
【図１７】
2019203988.tif 000019